(57)【特許請求の範囲】
【請求項１】
窓ガラスに接触角が１０度未満となる超親水表面処理を施し、少なくとも当該窓ガラスサッシ取り付け部分の屋外側のシーリング材を撥水成分の溶出のない不定形シーリング材若しくは撥水成分の溶出のない定型ガスケットで構成し、さらに、該サッシ下枠に設置した水切りは、該水切りの両端部に立ち上がり堰等の水返し機構を有した外壁より所定突き出しのあるものとし、さらに、屋上に雨水貯留槽を設け、当該槽から噴水ノズルを導引し当該噴水ノズルを窓ガラス上端に指向させたうえ一定期間毎に貯留した雨水を噴水するようにプログラミングするとしたことを特徴とする逆勾配のために雨のかかることのない窓ガラスの洗浄方法。
【請求項２】
窓ガラスに接触角が１０度未満となる超親水表面処理がアナターゼ型二酸化チタンと蓄水性物質（珪酸化合物等）による光触媒効果を発揮できる薄膜をコーティングしたものである請求項１記載の逆勾配のために雨のかかることのない窓ガラスの洗浄方法。
【請求項３】
窓ガラスに接触角が１０度未満となる超親水表面処理を施し、少なくとも当該窓ガラスサッシ取り付け部分の屋外側のシーリング材を撥水成分の溶出のない不定形シーリング材若しくは撥水成分の溶出のない定型ガスケットで構成し、さらに、該サッシ下枠に設置した水切りは、該水切りの両端部に立ち上がり堰等の水返し機構を有した外壁より所定突き出しのあるものとし、さらに、屋上に雨水貯留槽を設け、当該槽から降雨時に溢れ出る水を開口面に導き洗浄水を供給するとしたことを特徴とする逆勾配のために雨のかかることのない窓ガラスの洗浄方法。
【請求項４】
窓ガラスに接触角が１０度未満となる超親水表面処理がアナターゼ型二酸化チタンと蓄水性物質（珪酸化合物等）による光触媒効果を発揮できる薄膜をコーティングしたものである請求項３記載の逆勾配のために雨のかかることのない窓ガラスの洗浄方法。
【発明の詳細な説明】
【０００１】
【発明の属する技術分野】
本発明は、傾斜構造上逆勾配のために雨のかかることのない窓ガラスの洗浄方法に関する。
【０００２】
【従来の技術】
建築物の開口部は、採光のために設けられ、ガラス等の透光性の遮蔽材料と周辺部材で構成されている。一般に、開口部に使用されるガラス等の透光性材料には、光の透過だけでなく、開口部により隔てられる空間同志が見通せることが要求される。従って、ここで使用されるガラス等に塵埃等の異物が付着することは、その要求性能を満たせなくなることになるので、頻繁に清掃が必要となる。
【０００３】
清掃を行なう際には、特に屋外に面した部分の清掃には、安全な足場等が確保されないことが多々あり、屋上よりゴンドラやブランコを吊るして行なう危険が伴う作業となっている。
【０００４】
清掃手間を減らすために予め清掃用ロボットなどが設置されることがあるが、かなりコスト高になるし、清掃自体もメンテナンス費用に占める割合が大きく、ビルを管理、運営する上で大きな問題となっている。
【０００５】
かかる事情からイージーメンテナンス化された汚れない窓ガラスの提案がなされている。
【０００６】
すなわち、ガラスの場合、清掃頻度の低減を考慮して、表面に撥水処理をしたもの、逆に表面を親水処理したものが考えられている。
【０００７】
しかし、叙上の撥水処理、親水処理は、恒常的に雨水がガラス面に当たる条件下を前提とするもので、かような条件下にない逆勾配型の壁面における開口部では、雨水が当たらず、自己洗浄効果は期待できない。
【０００８】
【発明が解決しようとする課題】
しかして、叙上の逆勾配のために雨のかかることない窓ガラスについての有効な洗浄方法についての提案は皆無である。
【０００９】
本発明は、かかる事情に鑑みなされたもので、その目的とするところは、雨のかかることのない逆勾配型の壁面における開口部の窓ガラスの有効なる洗浄方法を提供することにある。
【００１０】
【課題を解決するための手段】
上記目的を達成するために、本発明の逆勾配のために雨のかかることのない窓ガラスの洗浄方法は、窓ガラスに接触角が１０度未満となる超親水表面処理を施し、少なくとも当該窓ガラスサッシ取り付け部分の屋外側のシーリング材を撥水成分の溶出のない不定形シーリング材若しくは撥水成分の溶出のない定型ガスケットで構成し、さらに、該サッシ下枠に設置した水切りは、該水切りの両端部に立ち上がり堰等の水返し機構を有した外壁より所定突き出しのあるものとし、さらに、屋上に雨水貯留槽を設け、当該槽から噴水ノズルを導引し当該噴水ノズルを窓ガラス上端に指向させたうえ一定期間毎に貯留した雨水を噴水するようにプログラミングするとしたものである。
【００１１】
または、窓ガラスに接触角が１０度未満となる超親水表面処理を施し、少なくとも当該窓ガラスサッシ取り付け部分の屋外側のシーリング材を撥水成分の溶出のない不定形シーリング材若しくは撥水成分の溶出のない定型ガスケットで構成し、さらに、該サッシ下枠には端部に立ち上がり堰を有した外壁より所定突き出しの水切りを設置するとし、さらに、屋上に雨水貯留槽を設け、当該槽から降雨時に溢れ出る水を開口面に導き洗浄水を供給するとしたものである。
【００１２】
【作用】
雨のかかることのない窓ガラスにあっても洗浄水自動供給装置により全面に水膜を形成させることができる。接触角が１０度未満の条件では、汚染物質の付着界面に水が浸入することにより、簡単に洗い流せることが確認されており、自己洗浄にて塵埃の除去が可能となる。
【００１３】
かつ、逆勾配にもかかわらず保水性が強く洗浄水を確実に保持する。
【００１４】
表面を親水処理したガラスは、水による洗浄により、汚れの付着は低減されるが、ガラスとサッシの取り付け部分に施工されるシリコーン系シーリング材から溶出する撥水成分が親水処理されたガラスに付着して部分的に汚れる部分が発生することが判明しているが、窓ガラスサッシ取り付け部分の屋外側のシーリング材からは、その材質が撥水成分の溶出のない不定形シーリング材若しくは撥水成分の溶出のない定型ガスケットであること故に不都合な撥水成分の溶出が無く、窓ガラス面の汚染は無い。
【００１５】
さらに、ガラス清掃に伴い、汚染物質を含んだ洗浄水が開口下部へ伝達し、周辺部材（外壁等）を汚す状況があり、ガラス清掃と共に外壁清掃も行なう必要が生じているが、サッシ下枠に設けた水切りの両端部に立ち上がり堰等の水返し機構を有し、外壁より突き出た前記水切りによって叙上洗浄水は外壁を伝わることはないので、外壁面を汚染することもない。
【００１６】
【発明の実施の形態】
本発明の実施の態様を図１〜３に基づいて説明する。
【００１７】
本発明の対象となる窓ガラスは図１、２に示される。
【００１８】
すなわち、外壁４は逆勾配であり、これに設けられた開口部７についてのものである。
【００１９】
図１にあっては、屋上８に設けられた雨水貯水槽９から導引した噴水ノズル１０を該開口部７上端に指向させると共に一定期間毎に当射させるようにプログラミングしている。
【００２０】
また、図２にあっては、槽９からの降雨時の溢れ出る水を該開口部７に導引１１するようにしている。
【００２１】
図１、２にあっては開口部７の詳細構造を省略してあるが、その詳細は図３ａ、ｂに示される。
【００２２】
すなわち、図中１はサッシ枠２に収まった窓ガラスで、接触角が１０度未満となる超親水表面処理が施されるものである。
【００２３】
接触角が１０度未満の超親水状態とするには、例えば、アナターゼ型二酸化チタンと蓄水性物質（珪酸質化合物等）による光触媒効果を発揮できる薄膜をコーティングしたもの等を使用する。接触角が１０度未満の条件では、汚染物質の付着界面に水が浸入することにより、簡単に洗い流せることが確認されており、結露水で塵埃の除去が可能となる。
【００２４】
図４に示す如く、一般的な親水性防汚塗料の場合、接触角はせいぜい２０度〜４０度程度。光触媒は０度〜１０度程度と極めて高い親水性（超親水性）があり、極めて高い防汚性を発揮する。
【００２５】
光触媒は、この「超親水性」で防汚塗料よりはるかに優れた防汚性を発揮する。
【００２６】
光触媒に光が当たることにより、超親水性機能を発現し、雨で汚れを流れやすくする効果が得られる。
【００２７】
触媒活性が高い酸化チタン膜を得るためにはアナターゼ型の結晶系がリッチである必要があり、本発明ではこれを用い、これに加えて蓄水性物質を同拌させて、「超親水」を確実なものとしている。
【００２８】
該窓ガラス１のサッシ枠２との隙間に充填するグレイジング用シーリング材には、屋外側のみ２成分形ポリサルファイド系、２成分形ポリイソブチレン系シーリング材あるいはＥＰＤＭクロロプレンゴム、塩ビ、シリコーン等の定型ガスケット３を使用する。屋内側には、ガラス１に接着する不定形シーリング材３′（あるいは定型ガスケット）であれば何でも適用できる。しかして、一般に使用されるシリコーン系シーリング材を屋外側に使用していないので、同材料から揮散する撥水性の成分が周辺に付着し、親油性の汚染物質を付着し易くする状態を避けることができる。
【００２９】
サッシ下枠２ａには、壁面４より２０ｍｍ程突出した水切り５を開口幅より長く設置し、その端部に立ち上がりピース５ａ、５ｂを取り付ける。これにより、ガラス１または水切り５に付着した汚れが、洗浄水により下部壁面４へ伝達されることがなく、周辺壁面を汚すことがない。
【００３０】
【発明の効果】
以上の如く本発明は構成されるので、逆勾配のために雨のかかることのない窓ガラスにあっても自己洗浄になるイージーメンテナンスを達成することができる。
【図面の簡単な説明】
【図１】本発明の実施態様説明図である。
【図２】本発明の実施態様説明図である。
【図３】ａ、ｂは本発明の開口部構造の正面図、ａ図中矢視ｂ−ｂ端面図である。
【図４】水との濡れ性と雨筋汚れの関係図である。
【符号の説明】
１  ；  窓ガラス
２  ；  サッシ枠
３  ；  ガスケット
３′  ；  不定シーリング材
４  ；  壁面
５  ；  水切り
５ａ、５ｂ  ；  立ち上がりピース
６  ；  庇
７  ；  開口部
８  ；  屋上
９  ；  槽
１０  ；  噴水ノズル
１１  ；  導引
【図１】
0004605324.tif 000002
【図２】
0004605324.tif 000003
【図３】
0004605324.tif 000004
【図４】
0004605324.tif 000005